(57)【要約】【課題】部品点数が少なく施工性及び意匠性に優れた改装サッシユニット等を提供する。【解決手段】室内外を連通する開口に設けられている既設サッシの既設枠に設けられる改装サッシユニットであって、新たに設けられる改装サッシと、前記既設枠と前記改装サッシとの間に介在される下地枠と、前記下地枠に固定され、前記改装サッシの改装枠と前記開口が設けられている壁との間を室外側から覆うカバー部材と、を有し、前記カバー部材は、当該カバー部材と前記改装サッシとの間に設けられた止水材の最も室外側の縁より室内側にて固定されている。【選択図】図１
2011012405.tif 000002
【特許請求の範囲】
【請求項１】
室内外を連通する開口に設けられている既設サッシの既設枠に設けられる改装サッシユニットであって、
新たに設けられる改装サッシと、
前記既設枠と前記改装サッシとの間に介在される下地枠と、
前記下地枠に固定され、前記改装サッシの改装枠と前記開口が設けられている壁との間を室外側から覆うカバー部材と、を有し、
前記カバー部材は、当該カバー部材と前記改装サッシとの間に設けられた止水材の最も室外側の縁より室内側にて固定されていることを特徴とする改装サッシユニット。
【請求項２】
請求項１に記載の改装サッシユニットであって、
前記カバー部材は、前記壁とともに前記改装サッシ側に窪む凹部を形成し、
前記凹部に前記止水材が設けられていることを特徴とする改装サッシユニット。
【請求項３】
請求項１または請求項２に記載の改装サッシユニットであって、
前記下地枠は、前記改装枠が挿入される挿入開口を形成する平坦な内周面を有し、
前記内周面には前記カバー部材が取り付けられて当該カバー部材の表面と前記内周面とが平坦になるような段部が設けられていることを特徴とする改装サッシユニット。
【請求項４】
請求項１乃至請求項３のいずれかに記載の改装サッシユニットであって、
前記改装枠は、開口に直接取り付けられる際に躯体に固定される固定ヒレ部を有し、
前記下地枠を介して取り付けられる際には、前記固定ヒレ部が切除されることを特徴とする改装サッシユニット。
【請求項５】
請求項１乃至請求項４のいずれかに記載の改装サッシユニットであって、
前記下地枠は、室内側の端部が開口の内側に向かって見付け方向に延出された延出部を有し、
前記延出部の室内側は、室内側に露出される意匠性を有する意匠面を備えていることを特徴とする改装サッシユニット。
【請求項６】
室内外を連通する開口に設けられている既設サッシの既設枠に設けられる改装サッシユニットの取付方法であって、
前記既設枠と新たに設けられる改装サッシとの間に介在される下地枠に、前記改装サッシの改装枠と前記開口が設けられている壁との間を室外側から覆うカバー部材を固定具にて取り付けるカバー部材取付工程と、
前記カバー部材が取り付けられた前記下地枠を前記既設枠に取り付ける下地枠取付工程と、
前記下地枠に前記改装サッシの前記改装枠を取り付ける改装枠取付工程と、
前記カバー部材と前記改装サッシとの間に、最も室外側の縁が前記固定具より室外側に位置する止水材を設ける止水材配設工程と、
を有することを特徴とする改装サッシユニットの取付方法。
【発明の詳細な説明】
【技術分野】
【０００１】
本発明は、既設サッシの既設枠に設けられる改装サッシユニット及び改装サッシユニットの取付方法に関する。
【背景技術】
【０００２】
改装サッシユニットとしては、建物の開口部に設けられた既設サッシの既設枠の内周側にベース材を介して取り付けられるリフォームサッシが知られている（例えば、特許文献１参照）。
【０００３】
このようなリフォームサッシは、既設枠が有する上枠、下枠、左右の縦枠にベース材を取り付けることにより新設するリフォームサッシが固定される取付壁を形成し、リフォームサッシが有する、枠組みされた枠体を取付壁にビスにて固定している。
【先行技術文献】
【特許文献】
【０００４】
【特許文献１】特開２００８−２２３２８６号公報
【発明の概要】
【発明が解決しようとする課題】
【０００５】
上記のようなリフォームサッシは、ベース材とリフォームサッシの枠体とを固定するビスを覆うカバー材を取り付けるためのアタッチメントがベース材にビスにて固定され、このアタッチメントにカバー材が嵌合されている。このため、リフォームサッシの意匠性を向上させるために、カバー材と、カバー材を取り付けるためのアタッチメントとが必要であり、部品点数が増えて管理が煩雑となり、作業工数も増加するという課題があった。
【０００６】
本発明は、かかる課題に鑑みてなされたものであり、その目的とするところは、部品点数が少なく施工性及び意匠性に優れた改装サッシユニット及び改装サッシユニットの取付方法を提供することにある。
【課題を解決するための手段】
【０００７】
かかる目的を達成するために本発明の改装サッシユニットは、室内外を連通する開口に設けられている既設サッシの既設枠に設けられる改装サッシユニットであって、新たに設けられる改装サッシと、前記既設枠と前記改装サッシとの間に介在される下地枠と、前記下地枠に固定され、前記改装サッシの改装枠と前記開口が設けられている壁との間を室外側から覆うカバー部材と、を有し、前記カバー部材は、当該カバー部材と前記改装サッシとの間に設けられた止水材の最も室外側の縁より室内側にて固定されていることを特徴とする改装サッシユニットである。  
このような改装サッシユニットによれば、改装枠と壁との間を室外側から覆うカバー部材は、下地枠に直接固定されているので、部品点数を低減することが可能であるとともにカバー部材の取り付けが容易である。また、カバー部材が、既設枠と改装サッシとの間に介在される下地枠に固定されている位置は、カバー部材と改装サッシとの間に設けられた止水材の最も室外側の縁より室内側なので、改装サッシが取り付けられた後には、カバー部材が固定されている部位は止水材に隠されて室外側に露出しない。このため、カバー部材を下地枠に固定する簡単な構成としつつ部品点数を削減し、固定部が外部に露出しない、施工性及び意匠性に優れた改装サッシユニットを提供することが可能である。
【０００８】
かかる改装サッシユニットであって、前記カバー部材は、前記壁とともに前記改装サッシ側に窪む凹部を形成し、前記凹部に前記止水材が設けられていることが望ましい。  
このような改装サッシユニットによれば、カバー部材と壁とともに形成された凹部に止水材が設けられているので止水性に優れた改装サッシユニットを提供することが可能である。また、止水材が設けられている凹部は、カバー部材と壁との間にて改装サッシ側に窪んでいるので、室外側から改装サッシを見た際には止水材は見え難い。このため、より意匠性に優れた改装サッシユニットを提供することが可能である。
【０００９】
かかる改装サッシユニットであって、前記下地枠は、前記改装枠が挿入される挿入開口を形成する平坦な内周面を有し、前記内周面には前記カバー部材が取り付けられて当該カバー部材の表面と前記内周面とが平坦になるような段部が設けられていることが望ましい。  
このような改装サッシユニットによれば、カバー部材が下地枠の段部に設けられることにより、改装枠が挿入される挿入開口を形成する下地枠の内周面と、内周面に取り付けられたカバー部材の表面とが平坦になるので、改装枠が挿入開口に挿入される際には、障害となるものがないので、容易に改装枠を挿入することが可能である。
【００１０】
かかる改装サッシユニットであって、前記改装枠は、開口に直接取り付けられる際に躯体に固定される固定ヒレ部を有し、前記下地枠を介して取り付けられる際には、前記固定ヒレ部が切除されることが望ましい。  
このような改装サッシユニットによれば、改装サッシが、固定ヒレ部を躯体に直接固定して開口に取り付けられるサッシであっても、固定ヒレ部を切除することにより取り付けることが可能である。このため、改装用の専用サッシでなくとも、躯体に直接取り付けられるようなサッシを改装サッシとして用いることが可能である。
【００１１】
かかる改装サッシユニットであって、前記下地枠は、室内側の端部が開口の内側に向かって見付け方向に延出された延出部を有し、前記延出部の室内側は、室内側に露出される意匠性を有する意匠面を備えていることが望ましい。  
このような改装サッシユニットによれば、下地枠の室内側に設けられ、開口の内側に向かって見付け方向に延出された延出部は、室内側に露出される意匠性を有する意匠面を備えているので、下地枠を取り付けるだけで、意匠面が室内側に露出される。このため、意匠性を有する他の部材を別途用いることなく室内側からの意匠性に優れた改装サッシユニットを提供することが可能である。
【００１２】
また、室内外を連通する開口に設けられている既設サッシの既設枠に設けられる改装サッシユニットの取付方法であって、前記既設枠と新たに設けられる改装サッシとの間に介在される下地枠に、前記改装サッシの改装枠と前記開口が設けられている壁との間を室外側から覆うカバー部材を固定具にて取り付けるカバー部材取付工程と、前記カバー部材が取り付けられた前記下地枠を前記既設枠に取り付ける下地枠取付工程と、前記下地枠に前記改装サッシの前記改装枠を取り付ける改装枠取付工程と、前記カバー部材と前記改装サッシとの間に、最も室外側の縁が前記固定具より室外側に位置する止水材を備える止水材配設工程と、を有することを特徴とする改装サッシユニットの取付方法である。
【００１３】
このような改装サッシユニットの取付方法によれば、改装枠と壁との間を室外側から覆うカバー部材を下地枠に直接固定するので、部品点数を低減することが可能であるとともにカバー部材を容易に取り付けることが可能である。また、カバー部材が固定された下地枠を既設枠に取り付け、下地枠に改装枠を取り付けて、カバー部材と改装サッシとの間に止水材を設けるので、改装枠と壁との間を覆いつつ、止水性に優れた改装サッシを取り付けることが可能である。このとき、止水材の最も室外側の縁は、カバー部材が下地枠に固定されている位置より室外側に位置しているので、止水材を設けるだけで固定具の室外側への露出を防止することが可能である。このため、カバー部材を下地枠に固定する簡単な構成としつつ部品点数を削減して、固定具を外部に露出させないように改装サッシユニットを取り付けることが可能である。
【発明の効果】
【００１４】
本発明によれば、部品点数が少なく施工性及び意匠性に優れた改装サッシユニット及び改装サッシユニットの取付方法を提供することが可能である。
【図面の簡単な説明】
【００１５】
【図１】本実施形態に係る改装サッシユニットを説明するための水平断面図である。
【図２】本実施形態に係る改装サッシユニットを説明するための縦断面図である。
【図３】本実施形態に係る改装枠の固定ヒレ部の形状を説明するための図である。
【発明を実施するための形態】
【００１６】
以下、本発明の一実施形態に係る改装サッシユニット及び改装サッシユニットの取付方法について図面を参照して説明する。
【００１７】
本実施形態の改装サッシユニット１は、例えば、建物の室内外を連通する開口に設けられている既設サッシの既設枠５０の既設下枠５２に固定される支持部材５と、支持部材５に載置されて既設枠５０の内周側に取り付けられる下地枠３０と、下地枠３０の内周側に取り付けられる改装サッシ１０と、下地枠３０に固定されるカバー部材２７と、を有している。本実施形態では、図１、図２に示すように、屋内外を連通する開口に既設枠５０が設けられている。
【００１８】
以下の説明においては、建物等に取り付けられた状態の既設枠５０及び改装サッシ１０を屋内側から見たときに、上下となる方向を上下方向、左右となる方向を左右方向または見付け方向、屋内外方向である奥行き方向を見込み方向として示す。また、改装サッシユニットが備える各部材は、単体の状態であっても開口に取り付けられた状態で上下方向、見付け方向、見込み方向等となる方向にて方向を特定して説明する。
【００１９】
また、本実施形態においては、建物に既に設けられている既存の既設枠５０と、既設枠５０を覆うように改装される改装サッシ１０とが登場するが、同じ名称を有する部位、部材には、各名称の前に「既設」または「改装」を付して説明する。例えば、既設枠が有する下枠や縦枠等は、既設下枠、既設縦枠等とし、改装サッシ１０が有する縦枠や障子等は、改装枠体、改装障子等として説明する。
【００２０】
既設サッシの既設枠５０は、引き違い障子用の枠体であり、既設サッシの既設障子（不図示）が案内される既設レール５１ａ、５１ｂ、５２ａ、５２ｂを有する既設上枠５１及び既設下枠５２と、既設障子の既設戸先框（不図示）と係合する既設係合片５３ａを有する左右の既設縦枠５３とが矩形状に枠組みされて開口に設けられている。尚、既設上枠５１、既設下枠５２、及び、左右の既設縦枠５３は押出成形部材であり、左右の既設縦枠は互いに左右対称の形状をなしている。
【００２１】
既設上枠５１は、既設内障子（不図示）を案内するための既設内上レール５１ａと、既設外障子（不図示）を案内するための既設外上レール５１ｂと、既設網戸（不図示）を案内するための既設網戸上レール５１ｃとが、見込み方向に互いに間隔を隔てて設けられている。既設内上レール５１ａと、既設外上レール５１ｂと、既設網戸上レール５１ｃとは、既設上枠５１の見付け方向の全域に渡って鉛直方向に下方に垂設されている。また、既設網戸上レール５１ｃは、既設上枠５１の最も屋外側に設けられ、屋内外の境界となる建物の外壁２の壁面より屋外側に突出させた位置に配置されている。
【００２２】
既設内上レール５１ａより屋内側には、既設上枠５１の屋内側に設けられる額縁６０において、開口の中央側に臨む内面６０ａと対向して重ねられる既設額縁対向部５１ｄが設けられており、既設内上レール５１ａと既設外上レール５１ｂとの間を繋ぐ部位からは上方に延びて躯体３に固定される上固定ヒレ部５１ｅが設けられている。
【００２３】
そして、既設額縁対向部５１ｄは、額縁６０の屋外側の部位の下面、すなわち、開口の中央側に臨む内面６０ａに形成され上方に窪む段部に配置され、既設額縁対向部５１ｄの下面と額縁の内面６０ａとがほぼ面一になるように構成されている。また、既設内上レール５１ａの先端と既設外上レール５１ｂの先端とは、同じ高さに形成され、既設網戸上レール５１ｃ及び既設額縁対向部５１ｄより低い位置に位置している。
【００２４】
既設上枠５１は、既設額縁対向部５１ｄが額縁６０にビス６４にて固定され、上固定ヒレ部５１ｅ及び既設額縁対向部５１ｄと既設内上レール５１ａを繋ぐ部位が躯体３にビス６４にて固定されている。
【００２５】
既設下枠５２は、既設内障子（不図示）を案内するための既設内レール５２ａと、既設外障子（不図示）を案内するための既設外レール５２ｂと、既設網戸（不図示）を案内するための既設網戸レール５２ｃとが、見込み方向に互いに間隔を隔てて設けられている。既設内レール５２ａと、既設外レール５２ｂと、既設網戸レール５２ｃとは、既設下枠５２の見付け方向の全域に渡って設けられている。また、既設網戸レール５２ｃは、既設下枠５２の最も屋外側に設けられ、屋内外の境界となる建物の外壁２の壁面より屋外側に突出させた位置に配置されている。
【００２６】
既設内レール５２ａより屋内側には、既設下枠５２の屋内側に設けられる額縁６０において、開口の中央側に臨む内面６０ａと対向して重ねられる既設額縁対向部５２ｄが設けられており、既設内レール５２ａと既設外レール５２ｂとの間を繋ぐ部位からは下方に延びて躯体３に固定される固定ヒレ部５２ｅが設けられている。
【００２７】
そして、既設額縁対向部５２ｄは、額縁６０の屋外側の部位の上面に形成され下方に窪む段部に配置され、既設額縁対向部５２ｄの上面と額縁６０の上面、すなわち、開口の中央側に臨む内面６０ａとがほぼ面一になるように構成されている。また、既設内レール５２ａは、その上端が既設額縁対向部５２ｄの上面より低く、既設外レール５２ｂは、その上端が既設内レール５２ａの上端より低く、既設網戸レール５２ｃは、その上端が既設外レール５２ｂより低く形成されている。
【００２８】
既設下枠５２は、既設額縁対向部５２ｄが額縁６０にビス６４にて固定され、固定ヒレ部５２ｅが躯体３にビス６４にて固定されている。
【００２９】
既設縦枠５３は、見込み方向に沿う平面でなる既設縦枠本体部５３ｂと、既設縦枠本体部５３ｂの屋内側に設けられる額縁６０において、開口の中央側に臨む内面６０ａと対向して重ねられる既設額縁対向部５３ｃと、既設縦枠本体部５３ｂから開口の中央側に突出され既設障子の既設戸先框が係合される既設係合片５３ａと、既設枠５０の最も屋外側に配置され既設縦枠本体部５３ｂから開口の中央側に突出され既設網戸の既設縦框に挿入される既設挿入片５３ｄと、既設枠５０の最も屋外側に配置され既設挿入片５３ｄと見付け方向において反対側に突出された縁部５３ｅと、を有している。
【００３０】
既設縦枠５３の最も屋外側に配置された既設挿入片５３ｄと縁部５３ｅとは、屋外側に臨む外向平面５３ｆを形成しており、外向平面５３ｆは、屋内外に境界となる建物の外壁２の壁面より屋外側に突出させた位置に配置されている。
【００３１】
改装サッシ１０は、建物等の開口に直接新設可能な一般的なサッシである。すなわち、改装専用のサッシではない。改装サッシ１０の改装枠２０も引き違い障子用の枠体であり、改装サッシ１０の改装障子１２が案内される改装レール２１ａ、２１ｂ、２２ａ、２２ｂを有する改装上枠２１及び改装下枠２２と、左右の改装縦枠２３が矩形状に枠組みされている。枠組みされた改装枠２０は、後述する下地枠３０に囲まれた挿入空間内に挿入される。尚、改装上枠２１、改装下枠２２、及び、左右の改装縦枠は押出成形部材であり、左右の改装縦枠２３は改装障子１２ａ、１２ｂとの改装係合片２３ａを除いて互いに左右対称の形状をなしている。
【００３２】
改装上枠２１は、改装内障子１２ａを案内するための改装内上レール２１ａと、改装外障子１２ｂを案内するための改装外上レール２１ｂと、改装網戸１４を案内するための改装網戸上レール２１ｃとが、見込み方向に互いに間隔を隔てて設けられている。改装内上レール２１ａと、改装外上レール２１ｂと、改装網戸上レール２１ｃとは、改装上枠２１の見付け方向の全域に渡って鉛直方向に下方に垂設されている。また、改装網戸上レール２１ｃは、改装上枠２１の最も屋外側に設けられ、屋内外の境界となる建物の外壁２の壁面より屋外側に突出させた位置に配置されている。
【００３３】
改装上枠２１の室内側の端部は、下地枠３０に当接される平面を有する下地当接部２１ｄが設けられている。また、改装上枠２１の改装内上レール２１ａと改装外上レール２１ｂとの間にて分断されており、屋外側の部位と屋内側の部位とが樹脂２４を介して接合されて断熱性が確保されている。
【００３４】
改装上枠２１は、下地当接部２１ｄと改装内上レール２１ａとを繋ぐ部位が、後述する下地枠３０の室内側の部位を覆う覆い部材２５とともに下地枠３０にビス６４にて固定されている。
【００３５】
改装下枠２２は、改装内障子１２ａを案内するための改装内レール２２ａと、改装外障子１２ｂを案内するための改装外レール２２ｂと、改装網戸１４を案内するための改装網戸レール２２ｃとが、見込み方向に互いに間隔を隔てて設けられている。改装下枠２２の室内側の端部は、下地枠３０に当接される平面を有する下地当接部２２ｄが設けられている。下地当接部２２ｄと改装内レール２２ａとを繋ぐ部位のほぼ中央には、下方に延出されて下地枠３０に支持される屋内側脚部２２ｅと、改装内レール２２ａの下方に延出されて下地枠３０に支持される中央脚部２２ｆと、改装外レール２２ｂの下方に延出されて下地枠３０に支持される屋外側脚部２２ｇと、を有し、中央脚部２２ｆと屋外側脚部２２ｇとが下端側にて連結された連結部２２ｈを有している。また、連結部２２ｈから屋外側に、改装網戸レール２２ｃとほぼ同じ位置まで延出された延出部２２ｉが形成されている。
【００３６】
改装縦枠２３は、見込み方向に沿う平面を有する改装縦枠本体部２３ｂと、改装縦枠本体部２３ｂから開口の中央側に突出され改装障子１２ａ、１２ｂの改装戸先框１２ｃが係合される改装係合片２３ａと、改装枠２０の最も屋外側に配置され改装縦枠本体部２３ｂから開口の中央側に突出され改装網戸１４の改装縦框１４ａに挿入される改装挿入片２３ｄと、改装枠２０の最も屋外側に配置され改装挿入片２３ｄと見付け方向において反対側に突出された縁部２３ｅと、を有している。
【００３７】
また、改装縦枠２３の室内側の端部は、下地枠３０に当接される平面を有する下地当接部２３ｃが設けられ、下地当接部２３ｃは改装縦枠本体部２３ｂより外周側に突出している。改装縦枠本体部２３ｂより外周側には、下地当接部２３ｃと見込み方向に間隔を隔てて改装縦枠本体部２３ｂから外周側に下地当接部２３ｃと同じ長さだけ延出された中央延出部２３ｈが設けられている。下地当接部２３ｃと中央延出部２３ｈとは、改装枠２０が下地枠３０の内周側に挿入された際に下地縦枠３３の改装枠当接面３３ｄに先端が当接される。
【００３８】
ここで、改装サッシ１０は改装専用サッシではないので、改装サッシ１０を直接躯体に取り付けるための固定ヒレ部２３ｊが設けられている場合があるが、この場合には、図３に示すように、固定ヒレ部２３ｊを下地当接部２３ｃの延出量に合わせて切除して使用する。
【００３９】
改装縦枠２３の最も屋外側に配置された改装挿入片２３ｄと縁部２３ｅとは、屋外側に臨む外向平面２３ｆを形成しており、外向平面２３ｆは、屋内外に境界となる建物の外壁２の壁面より屋外側に突出させた位置に配置されている。
【００４０】
下地枠３０は、下地上枠３１、下地下枠３２、左右に配置される下地縦枠３３が矩形状に枠組みされて構成されている。枠組みされた下地枠３０にて形成される開口が、改装枠２０が挿入される挿入開口に相当する。下地上枠３１、下地下枠３２、左右の下地縦枠３３は、木製である。
【００４１】
下地上枠３１の縦断面と左右の下地縦枠３３の水平断面はほぼ同一形状をなし、断面形状において見込み方向に沿って配置される見込み壁部３１ａ、３３ａと、見込み壁部３１ａ、３３ａの屋内側の端部が内周側に延出された内側見付け壁部３１ｂ、３３ｂと、見込み壁部３１ａ、３３ａの屋外側の端部が外周側に延出された外側見付け壁部３１ｃ、３３ｃと、を有している。ここで、内側見付け壁部３１ｂ、３３ｂが、下地枠３０の屋内側の端部が開口の内側に向かって見付け方向に延出された延出部に相当する。
【００４２】
見込み壁部３１ａ、３３ａは、矩形状の下地枠３０の内周面であって内側見付け壁部３１ｂ、３３ｂより屋外側に改装枠２０が当接される、平坦な改装枠当接面３１ｄ、３３ｄを有している。また、改装枠当接面３１ｄ、３３ｄより屋外側、すなわち見込み壁部３１ａ、３３ａの屋外側に、外周方向に窪む段部３１ｅ、３３ｅを有している。段部３１ｅ、３３ｅには、後述するカバー部材２７が取り付けられる。ここで、平坦な改装枠当接面３１ｄ、３３ｄが、挿入開口を形成する平坦な内周面に相当する。見込み壁部３１ａ、３３ａの外周面は、外側見付け壁部３１ｃ、３３ｃより屋内側に、平坦な既設枠当接面３１ｆ、３３ｆを有している。既設枠当接面３１ｆ、３３ｆには、既設枠５０が当接される。
【００４３】
下地下枠３２は、下面が平坦に形成され、改装枠２０の改装下枠２２が当接される上面側は改装下枠２２の下地当接部２２ｄ、屋内側脚部２２ｅ、中央脚部２２ｆの下端が当接される面が、屋内側から屋外側に向かって低くなるような階段状に形成され、屋外側にはカバー部材２７が取り付けられ外周方向に窪む段部３２ｅが形成されている。
【００４４】
下地上枠３１と下地下枠３２とに設けられた段部３１ｅ、３２ｅは、内周面において段部３１ｅ、３２ｅが隣接する部位との段差が、左右の下地縦枠３３に設けられた段部３３ｅと改装枠当接面３１ｄ、３３ｄとの段差より大きく形成されている。具体的には、左右の下地縦枠３３に設けられた段部３３ｅは、改装枠当接面３１ｄ、３３ｄとの段差が、段部３３ｅに取り付けられるカバー部材２７の厚みと同等であるのに対し、下地上枠３１と下地下枠３２とに設けられた段部３１ｅ、３２ｅは、隣接する部位との段差にて形成される空間により改装枠２０との間に目地が形成できる程度の空間ができるように構成されている。また、下地枠３０の屋内に臨む面は、屋内に露出できるような意匠性を備えるべく、仕上げ加工等が施された意匠面３４をなしている。
【００４５】
カバー部材２７は、下地上枠３１、下地下枠３２、左右の下地縦枠３３の屋外側に設けられた段部３１ｅ、３２ｅ、３３ｅにそれぞれ取り付けられる部材である。
【００４６】
カバー部材２７は、下地上枠３１、下地下枠３２、左右の下地縦枠３３の段部３１ｅ、３２ｅ、３３ｅに固定され下地上枠３１、下地下枠３２、左右の下地縦枠３３より屋外側に突出される固定板部２７ａと、固定板部２７ａの屋外側の縁から下地枠３０の外周方向に延出されて屋外に臨む面を形成する屋外板部２７ｂと、屋外板部２７ｂの外周側の縁から屋内側に延出された外周板部２７ｃと、外周板部２７ｃの屋内側の端部に設けられカバー部材２７が取り付けられた下地枠３０が既設枠５０に取り付けられた際に外壁２とともに外周側に開放された凹部２８を形成する凹部形成部２７ｄとを有している。外壁２と凹部形成部２７ｄとにて形成される凹部２８は、改装サッシ１０側に窪んでいる。
【００４７】
カバー部材２７は、下地上枠３１、下地下枠３２、左右の下地縦枠３３の長手方向に沿って、既設枠５０及び下地枠３０の屋外側の部位を覆うとともに、屋外板部２７ｂの外周側の部位は、下地枠３０より外周側に延出されている。下地上枠３１、下地下枠３２、左右の下地縦枠３３に取り付けられる各カバー部材２７は両端部が４５度に切断され、隣接するカバー部材２７同士が突き合わされる。隣接するカバー部材２７の固定板部２７ａ同士、屋外板部２７ｂ同士、外周板部２７ｃ同士、凹部形成部２７ｄ同士がそれぞれ突き合わされて、下地枠３０より外周側の部位が繋がったカバー部材２７に覆われる。このとき、繋がったカバー部材２７の屋外板部２７ｂは同一平面を形成し、カバー部材２７の外周側には外壁２との間に外壁２と凹部形成部２７ｄとにて空隙が形成される。
【００４８】
支持部材５は、下地下枠３２の平坦な下面が当接される当接部５ａと、当接部５ａの屋外側の縁が下方に延出されて既設枠５０に固定される脚部５ｂと、脚部５ｂと同一面を形成し当接部５ａより上方に突出されて下地下枠３２の屋外側の部位が当接される突出部５ｃとを有している。支持部材５は、下地枠３０に取り付けられて、当接部５ａの屋内側の部位が既設下枠５２の既設額縁対向部５２ｄに載置された後、当接部５ａの上面が水平をなすように、脚部５ｂの取り付け位置を調節しつつ既設網戸レール５２ｃに固定される。
【００４９】
本実施形態の改装サッシユニット１の取付方法は、まず、下地枠３０及び改装枠２０を各々予め矩形状に枠組みしておく。その後、下地枠３０の下地下枠３２に支持部材５を取り付ける。このとき、支持部材５の当接部５ａの上面を下地下枠３２の下面に当接させるとともに、突出部５ｃの屋内側の面に下地下枠３２の最も屋外側の面を当接させて固定する。また、下地枠３０の下地上枠３１と左右の下地縦枠３３には、各々カバー部材２７をそれぞれ段部３１ｅ、３３ｅに取り付けておく(カバー部材取付工程)。このとき、下地上枠３１及び左右の下地縦枠３３と各カバー部材２７とを固定する固定具としてのビス６４は、下地上枠３１及び左右の下地縦枠３３の屋外側の縁部より十分屋内側、具体的には、カバー部材２７を固定したビス６４が、改装枠２０との間に充填される止水材としてのシーリング剤６６により屋外側に露出しないだけの距離を確保した屋内側の位置に固定する。
【００５０】
次に、カバー部材２７及び支持部材５を取り付けた下地枠３０を既設枠５０に取り付ける（下地枠取付工程）。このとき、まず、支持部材５の当接部５ａの屋内側の部位を、既設下枠５２の既設額縁対向部５２ｄに載置して既設下枠５２に支持させる。その後、支持部材５の脚部５ｂを既設下枠５２の既設網戸レール５２ｃにビス６４にて固定し、下地上枠３１と左右の下地縦枠３３は、下地枠３０の内周側から外周側に貫通するビス６４にて躯体３に固定する。このとき、下地上枠３１の既設枠当接面３１ｆには、既設内レール５２ａ及び既設外レール５２ｂの下端を当接させる。また、左右の下地縦枠３３には、既設縦枠５３の既設額縁対向部５３ｃ、既設係合片５３ａ、及び、既設挿入片５３ｄの先端を当接させる。
【００５１】
次に、下地下枠３２の段部３２ｅにカバー部材２７をビス６４にて固定する。このとき、下地縦枠３３に固定されているカバー部材２７の固定板部２７ａ、屋外板部２７ｂ、外周板部２７ｃ、凹部形成部２７ｄがそれぞれ突き合わされるように配置する。下地下枠３２にカバー部材２７を取り付けることにより、下地枠３０より外周側の部位が繋がったカバー部材２７にて覆われる。このとき、繋がったカバー部材２７の屋外板部２７ｂは同一平面を形成し、カバー部材２７の外周側には外壁２と凹部形成部２７ｄとにて全周に亘って空隙が形成される。
【００５２】
次に、下地枠３０の内周側に改装枠２０を挿入し、下地下枠３２の階段状に形成された部位に改装下枠２２の下地当接部２２ｄ、屋内側脚部２２ｅ、中央脚部２２ｆの下端が当接されるように配置する。このとき、中央脚部２２ｆと屋外側脚部２２ｇとの下端側が連結された連結部２２ｈ及び連結部２２ｈと繋がって屋外側に延出された延出部２２ｉと、下地下枠３２に取り付けられたカバー部材２７との間には、空隙が形成される。改装下枠２２は、下地下枠３２に屋内側からビス６４にて固定する（改装枠取付工程）。
【００５３】
また、改装上枠２１の屋内側の下地当接部２１ｄを下地上枠３１の内側見付け壁部３１ｂの屋外側の面に当接させるとともに、内側見付け壁部３１ｂの内周側の面を覆う覆い部材２５とともに改装上枠２１をビス６４にて固定する。また、下地当接部２１ｄと改装内上レール２１ａとを繋ぐ部位においても内周側から外周側に進入するビス６４にて改装上枠２１を下地上枠３１に固定する。このとき、改装内上レール２１ａ側から改装網戸上レール２１ｃの上端を繋ぐ部位の平坦な上面が、下地上枠３１の改装枠当接面３１ｄに当接されて、下地上枠３１の段部３１ｅに取り付けられたカバー部材２７との間に空隙が形成される。
【００５４】
また、左右の改装縦枠２３は、下地当接部２３ｃの外周側に延出された部位と中央延出部２３ｈとを、下地縦枠３３に設けられたカバー部材２７の固定板部２７ａと下地縦枠３３の改装枠当接面３３ｄとに沿わせて挿入させる。このとき、固定板部２７ａと改装枠当接面３３ｄとは、いずれも平坦でありほぼ同一平面を形成されているので、下地当接部２３ｃと中央延出部２３ｈとが案内されるように挿入される。左右の改装縦枠２３を下地枠３０の内周側に挿入して、下地当接部２３ｃの屋内側の面を内側見付け壁部３３ｂの屋外側の面に当接させるとともに、下地当接部２３ｃを内側見付け壁部３３ｂの内周側の面に当接させる。そして、内側見付け壁部３３ｂの内周側の面を覆う覆い部材２５とともに下地枠３０にビス６４にて固定する。
【００５５】
改装枠２０が下地枠３０に固定された状態では、改装枠２０の屋外側の部位とカバー部材２７の固定板部２７ａとの間、及び、カバー部材２７の凹部形成部２７ｄと外壁２との間に全周に亘って空隙が形成されている。このため、最後に、空隙の奥側にバックアップ材６５を備え、バックアップ材６５の外側にシーリング剤６６を充填して防水目地７０を形成する（止水材配設工程）。
【００５６】
上記実施形態の改装サッシユニット１によれば、改装枠２０と外壁２との間を屋外側から覆うカバー部材２７は、下地枠３０に直接固定されているので、部品点数を低減することが可能であるとともにカバー部材２７の取り付けが容易である。また、カバー部材２７が、既設枠５０と改装サッシ１０との間に介在される下地枠３０に固定されている位置は、カバー部材２７と改装サッシ１０の改装枠２０との間に設けられた止水材の最も屋外側の縁としての防水目地７０の表面７０ａより屋内側なので、改装サッシ１０が取り付けられた後には、カバー部材２７が固定されている部位は屋外側に露出しない。このため、カバー部材２７を下地枠３０に固定する簡単な構成として部品点数を削減するとともに、固定部が外部に露出しない、施工性及び意匠性に優れた改装サッシユニット１を提供することが可能である。
【００５７】
また、カバー部材２７と外壁２との間に防水目地７０が形成されているので止水性に優れた改装サッシユニット１を提供することが可能である。また、防水目地７０は、カバー部材２７と外壁２との間にて改装サッシ１０側に窪む凹部２８に形成されているので、屋外側から改装サッシ１０を見た際には防水目地７０は見えにくい。このため、より意匠性に優れた改装サッシユニット１を提供することが可能である。
【００５８】
また、カバー部材２７が下地縦枠３３の段部３３ｅに設けられることにより、改装枠２０が挿入される挿入開口を形成する下地縦枠３３の改装枠当接面３３ｄと、改装枠当接面３３ｄに取り付けられたカバー部材２７の固定板部２７ａの表面とが平坦になる。このため、改装枠２０が挿入開口に挿入される際には、障害をなるものがないので、容易に改装枠２０を挿入することが可能である。
【００５９】
また、既設枠５０に支持部材５及び下地枠３０を介して取り付けられる改装サッシ１０は、改装用の専用サッシでなくとも、固定ヒレ部２７ｊを切除することにより、たとえば躯体３に直接取り付けられるような改装サッシであっても改装サッシとして用いることが可能である。
【００６０】
また、下地枠３０の屋内側に設けられ、開口の内側に向かって見付け方向に延出された延出部としての内側見付け壁部３１ｂ、３３ｂ及び下地下枠３２の屋内側に露出する部位が、意匠性を有する意匠面３４を備えているので、下地枠３０を取り付けるだけで、意匠面３４を屋内側に露出させることが可能である。このため、意匠性を有する他の部材を用いることなくとも屋内側からの意匠性に優れた改装サッシユニット１を提供することが可能である。
【００６１】
また、上記改装サッシユニット１の取付方法によれば、改装枠２０と外壁２との間を屋外側から覆うカバー部材２７を下地枠３０に直接固定するので、部品点数を低減することが可能であるとともにカバー部材２７の取付工数を削減することが可能である。また、カバー部材２７が固定された下地枠３０を既設枠５０に取り付け、下地枠３０に改装枠２０を取り付けて、カバー部材２７と改装サッシ１０との間に防水目地７０を形成するので、改装枠２０と外壁２との間を覆いつつ、止水性に優れた改装サッシ１０を取り付けることが可能である。このとき、防水目地７０は、最も屋外側の縁が、カバー部材２７が下地枠３０に固定されている位置より屋外側なので、防水目地７０を形成するだけで固定部の屋外側への露出を防止することが可能である。このため、カバー部材２７を下地枠３０に固定する簡単な構成として部品点数を削減するとともに、固定部を外部に露出させないように改装サッシユニット１を取り付けることが可能である。
【００６２】
本実施形態においては、下地枠３０を木製としたが、必ずしも木製でなくても良く、例えば、合成木や合成樹脂であっても構わない。
【００６３】
上記実施形態においては、止水材としてシーリング剤６６を凹部２８に充填して防水目地７０を形成する例について説明したが、防水目地は、例えば成形された樹脂製のシール材を凹部に嵌合して形成しても良い。また、シーリング剤またはシール材が設けられた部位は、カバー部材２７と外壁２との間に位置するため説明の便宜上「目地」としたが、カバー部材２７と外壁２との間にて止水性が確保される構成であれば構わない。
【００６４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６５】
１  改装サッシユニット、２  外壁、１０  改装サッシ、２０  改装枠、
２３ｊ  固定ヒレ部、２７  カバー部材、２８  凹部、３０  下地枠、３１  下地上枠、
３１ｂ  内側見付け壁部、３１ｄ  改装枠当接面、３１ｅ  段部、３２  下地下枠、
３２ｅ  段部、３３  下地縦枠、３３ｂ  内側見付け壁部壁部、３３ｄ  改装枠当接面、
３３ｅ  段部、３４  意匠面、５０  既設枠、６４  ビス、６６  シーリング剤、
７０  防水目地、７０ａ  防水目地の表面
【図１】
2011012405.tif 000003
【図２】
2011012405.tif 000004
【図３】
2011012405.tif 000005